(57)【要約】【課題】センサヘッドを水平移動可能に支持する一対のビームを備えるＯ型フレーム及び当該Ｏ型フレームを備える測定装置において、形状精度及び剛性を満たすビームを安価かつ容易に得る。【解決手段】上下に離間して平行配置されると共に各々がセンサヘッド３を水平移動可能に支持する一対のビーム２ｃと、一対のビーム２ｃの一方の端部同士を接続した第１スタンド２ａと、一対のビーム２ｃの他方の端部同士を接続した第２スタンド２ｂとを備えるＯ型フレーム２であって、ビーム２ｃは、互いに連結されると共にビーム２ｃの長手方向に配列された複数の分割パーツを有する主構造体２ｇを備える。【選択図】図２
2018124104.tif 000002
【特許請求の範囲】
【請求項１】
上下に離間して平行配置されると共に各々がセンサヘッドを水平移動可能に支持する一対のビームと、前記一対のビームの一方の端部同士を接続した第１スタンドと、前記一対のビームの他方の端部同士を接続した第２スタンドとを備えるＯ型フレームであって、
前記ビームは、互いに連結されると共に前記ビームの長手方向に配列された複数の分割パーツを有する主構造体を備えることを特徴とするＯ型フレーム。
【請求項２】
前記主構造体は、
前記分割パーツとして、
前記長手方向にて端部同士が対向して接続された第１部材と、
前記第１部材同士の境界箇所を跨いで配置されると共に前記長手方向にて端部同士が対向して接続された第２部材と
を有することを特徴とする請求項１記載のＯ型フレーム。
【請求項３】
前記主構造体は、前記長手方向と直交する断面にて閉断面構造を有していることを特徴とする請求項１または２記載のＯ型フレーム。
【請求項４】
前記主構造体が前記センサヘッドを移動させる移動機構の少なくとも一部を内部に収納可能な溝形状を有し、前記主構造体の内部を覆うカバーをさらに備えることを特徴とする請求項１〜３いずれか一項に記載のＯ型フレーム。
【請求項５】
前記長手方向の中央に前記分割パーツの境界箇所が配置されていることを特徴とする請求項１〜４いずれか一項に記載のＯ型フレーム。
【請求項６】
請求項１〜５いずれか一項に記載のＯ型フレームと、
前記ビームに対して移動可能に支持されたセンサヘッドと、
前記センサヘッドを移動させる移動機構と
を備えることを特徴とする測定装置。
【発明の詳細な説明】
【技術分野】
【０００１】
本発明は、Ｏ型フレーム及び測定装置に関するものである。
【背景技術】
【０００２】
紙やフィルムの厚さ等を計測可能な測定装置として、抄紙機・塗工機測定制御システムや、オンライン厚さ計、オンライン秤量計が用いられている。このような測定装置は、センサヘッドを移動可能に支持するＯ型フレームを備えている。Ｏ型フレームは、例えば特許文献１に開示されているように、上下に離間しかつ平行に配置された一対のビームと、これらのビームの端部同士を接続するスタンドとを有している。
【先行技術文献】
【特許文献】
【０００３】
【特許文献１】実開昭５５−１４５３１２号公報
【発明の概要】
【発明が解決しようとする課題】
【０００４】
ところで、紙やフィルムの厚さ等を高速かつ高精度に計測するためには、センサヘッドの位置を高精度に制御する必要がある。このため、ビームを含めフレームには高い形状精度と剛性とが要求される。このようなビームとしては、建築鋼材として利用され比較的入手が容易なＩ形鋼や溝形鋼を用いることが好ましい。しかしながら、一般的に入手可能な定尺の形鋼は、輸送等の関係で長さ寸法が４〜６ｍである。これに対して、抄紙機・塗工機測定制御システムやオンライン厚さ計には、長さ寸法が６〜１２ｍ程度の長尺なビームが必要となる場合がある。このような長尺なビームに用いることが可能な構造体は一般的に入手が困難である。
【０００５】
また、構造体が長尺になるほど、自重等による撓み量が大きくなる。このような撓み量を抑制するためには高度な技術が必要となる。また、板金を折り曲げて長尺な構造体を作製する場合には、大規模な曲げ設備が必要となる。仮に、このような長尺な構造体を入手しようとすると、サプライヤが限られ、高額かつ長納期となってしまう。さらに、６ｍを超えるような長尺の構造体の運搬には、特殊なトレーラ等の輸送手段が必要となる。このため、長尺の構造体を運搬するためには、高額の輸送費が必要となる。さらに長尺な構造体は、組立現場において取り扱いが難しく、作業性が悪い。
【０００６】
本発明は、上述する問題点に鑑みてなされたもので、センサヘッドを水平移動可能に支持する一対のビームを備えるＯ型フレーム及び当該Ｏ型フレームを備える測定装置において、形状精度及び剛性を満たすビームを安価かつ容易に得ることを目的とする。
【課題を解決するための手段】
【０００７】
第１の発明は、上下に離間して平行配置されると共に各々がセンサヘッドを水平移動可能に支持する一対のビームと、上記一対のビームの一方の端部同士を接続した第１スタンドと、上記一対のビームの他方の端部同士を接続した第２スタンドとを備えるＯ型フレームであって、上記ビームが、互いに連結されると共に上記ビームの長手方向に配列された複数の分割パーツを有する主構造体を備えるという構成を採用する。
【０００８】
第２の発明は、上記第１の発明において、上記主構造体が、上記分割パーツとして、上記長手方向にて端部同士が対向して接続された第１部材と、上記第１部材同士の境界箇所を跨いで配置されると共に上記長手方向にて端部同士が対向して接続された第２部材とを有するという構成を採用する。
【０００９】
第３の発明は、上記第１または第２の発明において、上記主構造体が、上記長手方向と直交する断面にて閉断面構造を有しているという構成を採用する。
【００１０】
第４の発明は、上記第１〜第３いずれかの発明において、上記主構造体が上記センサヘッドを移動させる移動機構の少なくとも一部を内部に収納可能な溝形状を有し、上記主構造体の内部を覆うカバーをさらに備えるという構成を採用する。
【００１１】
第５の発明は、上記第１〜第４いずれかの発明において、上記長手方向の中央に上記分割パーツの境界箇所が配置されているという構成を採用する。
【００１２】
第６の発明は、測定装置であって、上記第１〜第５いずれかの発明であるＯ型フレームと、上記ビームに対して移動可能に支持されたセンサヘッドと、上記センサヘッドを移動させる移動機構とを備えるという構成を採用する。
【発明の効果】
【００１３】
本発明によれば、ビームの主構造体が、ビームの長手方向に配列されると共に互いに連結された複数の分割パーツによって構成されている。このため、本発明によれば、ビームの全長に相当する長尺の構造体を搬送する必要がなく、Ｏ型フレームや測定装置が設置される現場において、形状精度等を調整しながら分割パーツを組み立てることによりビームの主構造体を設置することができる。したがって、本発明によれば、センサヘッドを水平移動可能に支持する一対のビームを備えるＯ型フレーム及び当該Ｏ型フレームを備える測定装置において、形状精度及び剛性を満たすビームを安価かつ容易に得ることが可能となる。
【図面の簡単な説明】
【００１４】
【図１】本発明の一実施形態におけるオンライン厚さ計の概略構成を示す斜視図である。
【図２】本発明の一実施形態におけるオンライン厚さ計を模式的に示した正面図である。
【図３】図２のＡ−Ａ断面図である。
【図４】上側ビームを含む図３の部分拡大図である。
【図５】下側ビームを含む図３の部分拡大図である。
【図６】外層部パーツと内層部パーツとの位置関係を説明するための主構造体の一部を示す斜視図である。
【図７】図２と同一方向から見た固定機構を含む拡大模式図である。
【図８】図７のＢ−Ｂ断面図である。
【発明を実施するための形態】
【００１５】
以下、図面を参照して、本発明に係るＯ型フレーム及び当該Ｏ型フレームを備える測定装置の一実施形態について説明する。なお、以下の図面において、各部材を認識可能な大きさとするために、各部材の縮尺を適宜変更している。
【００１６】
本実施形態では、本発明の測定装置の一例として、オンライン厚さ計１について説明する。オンライン厚さ計１は、例えばフィルム製造設備に組み込まれ、連続的に製造されるフィルムの厚さ寸法を、フィルムの搬送を停止することなく計測するものである。図１は、本実施形態のオンライン厚さ計１の概略構成を示す斜視図である。また、図２は、本実施形態のオンライン厚さ計１を模式的に示した正面図である。本実施形態のオンライン厚さ計１は、Ｏ型フレーム２と、２つのセンサヘッド３と、移動機構４とを備えている。なお、図面上では省略しているが、本実施形態のオンライン厚さ計１は、センサヘッド３や移動機構４に接続された制御装置や作業者が指示を入力するための操作パネルを有している。
【００１７】
Ｏ型フレーム２は、第１スタンド２ａと、第２スタンド２ｂと、一対のビーム２ｃとを備えている。第１スタンド２ａ及び第２スタンド２ｂは、各々が自立可能な支持構造体であり、ビーム２ｃを支持している。第１スタンド２ａは、平行配置される一対のビーム２ｃの一方側の端部に接続されており、一対のビーム２ｃの一方の端部同士を接続している。この第１スタンド２ａは、内部が中空とされており、内部に移動機構４の後述する駆動モータ４ａ等を収容している。第２スタンド２ｂは、第１スタンド２ａに対して水平方向に離間して配置されており、一対のビーム２ｃの他方側の端部各々に接続され、一対のビーム２ｃの他方側の端部同士を接続している。
【００１８】
一対のビーム２ｃは、上下に離間して平行に配置されている。以下、必要に応じて上側に配置されたビーム２ｃを上側ビーム２ｄと、下側に配置されたビーム２ｃを下側ビーム２ｅと称する。Ｏ型フレーム２は、第１スタンド２ａと、第２スタンド２ｂと、上側ビーム２ｄと、下側ビーム２ｅとに囲まれることで形成された開口２ｆを有する略Ｏ型形状とされている。厚さ寸法の計測対象であるフィルムＦは、開口２ｆを通過してＯ型フレーム２の手前側から奥側に向けて連続的に搬送される。
【００１９】
図３は、図２のＡ−Ａ断面図である。また、図４は上側ビーム２ｄを含む図３の部分拡大図であり、図５は下側ビーム２ｅを含む図３の部分拡大図である。上側ビーム２ｄと、下側ビーム２ｅとは、本実施形態では同一の構成を有している。このような上側ビーム２ｄ及び下側ビーム２ｅ（すなわちビーム２ｃ）は、主構造体２ｇと、カバー支持体２ｈと、カバー２ｉとを有している。
【００２０】
主構造体２ｇは、ビーム２ｃの長手方向（ビーム２ｃの延伸方向）に移動可能なセンサヘッド３の重量を受ける長尺な強度部材であり、ビーム２ｃの骨格を成している。このような主構造体２ｇは、ビーム２ｃの長手方向と直交する断面において外側に配置される外層部１０と、同断面において内側に配置される内層部１１と、外層部１０と内層部１１とを固定する固定機構１２とを有している。
【００２１】
外層部１０及び内層部１１は、図３〜図５に示すように、ビーム２ｃの長手方向と直交する断面において、上方に向けて開口された溝形状とされており、互いの側壁が固定機構１２によって締結されることによって一体化されている。内層部１１の底部には、移動機構４の一部である後述するレール４ｄが敷設され、内層部１１の内側には、移動機構４の一部であってレール４ｄに沿って移動される移動ブロック４ｅが収容されている。つまり、外層部１０及び内層部１１を有する主構造体２ｇは、ビーム２ｃの長手方向と直交する断面において、全体として溝形状に形状設定されており、移動機構４の一部を内部に収納可能となっている。
【００２２】
また、図３〜図５に示すように、外層部１０の底部と内層部１１の底部とは、隙間を空けて上下方向に離間して配置されている。このように外層部１０の底部と内層部１１の底部とが離間されることによって、外層部１０の底部、内層部１１の底部、及び、外層部１０の側壁とによって囲まれた閉空間Ｓが形成されている。つまり、主構造体２ｇは、ビーム２ｃの長手方向と直交する断面において、閉空間Ｓを有する閉断面構造とされている。このような閉断面構造を有することによって、主構造体２ｇは、軽量で剛性が高いものとなっている。
【００２３】
外層部１０は、第１スタンド２ａから第２スタンド２ｂに至る長さ寸法とされ、一端が第１スタンド２ａに固定され、他端が第２スタンド２ｂに固定されている。このような外層部１０は、断面が同一形状とされた複数の外層部パーツ１０ａ（分割パーツかつ第１部材）が、ビーム２ｃの長手方向に配列かつ互いに連結されることによって形成されている。外層部パーツ１０ａ同士は、端部同士を対向させかつ突合せた状態で接続されている。本実施形態においては、固定機構１２によって隣接する外層部パーツ１０ａ同士が固定されている。このような断面が溝形の外層部パーツ１０ａの１つ１つは、圧延又は板金加工によって形成された一般的な形鋼等とされている。
【００２４】
内層部１１も外層部１０と同様に、第１スタンド２ａから第２スタンド２ｂに至る長さ寸法とされ、一端が第１スタンド２ａに固定され、他端が第２スタンド２ｂに固定されている。このような内層部１１は、断面が同一形状とされた複数の内層部パーツ１１ａ（分割パーツかつ第２部材）が、ビーム２ｃの長手方向に配列かつ互いに連結されることによって形成されている。内層部パーツ１１ａ同士は、端部同士を対向させかつ突合せた状態で接続されている。本実施形態においては、固定機構１２によって内層部パーツ１１ａが外層部パーツ１０ａに固定されて位置決めされることにより隣接する内層部パーツ１１ａ同士が接続されている。このような断面が溝形の内層部パーツ１１ａの１つ１つは、圧延又は板金加工によって形成された一般的な形鋼等とされている。
【００２５】
図６は、外層部パーツ１０ａと内層部パーツ１１ａとの位置関係を説明するための主構造体の一部を示す斜視図である。なお、図６において、外層部パーツ１０ａと内層部パーツ１１ａとの位置関係の把握を容易とするために、固定機構１２については詳細を省略して図示している。本実施形態では、外層部パーツ１０ａと内層部パーツ１１ａとは、ビーム２ｃの端部を除き、ビーム２ｃの長手方向の長さ寸法が同一に設定されている。また、本実施形態では、外層部パーツ１０ａと内層部パーツ１１ａとの配置周期が半ピッチごと、ビーム２ｃの長手方向において変位して配置されるよう、外層部パーツ１０ａと内層部パーツ１１ａとが配列されている。つまり、図６に示すように、隣接する外層部パーツ１０ａ同士の繋ぎ目である外層部パーツ境界箇所Ｋ１と、隣接する内層部パーツ１１ａ同士の繋ぎ目である内層部パーツ境界箇所Ｋ２とは、ビーム２ｃの長手方向において重ならずに配置されている。より詳細には、本実施形態では、ビーム２ｃの長手方向において、外層部パーツ境界箇所Ｋ１と隣り合う外層部パーツ境界箇所Ｋ１との中央に内層部パーツ境界箇所Ｋ２が配置され、内層部パーツ境界箇所Ｋ２と隣り合う内層部パーツ境界箇所Ｋ２との間に外層部パーツ境界箇所Ｋ１が配置されるように、外層部パーツ１０ａと内層部パーツ１１ａとが千鳥状に配列されている。なお、本実施形態においては、複数の外層部パーツ境界箇所Ｋ１の１つが、ビーム２ｃの長手方向における中央に配置されている。
【００２６】
このように、本実施形態では、主構造体２ｇは、分割パーツとして、ビーム２ｃの長手方向にて端部同士が対向して接続された外層部パーツ１０ａと、外層部パーツ境界箇所Ｋ１を跨いで配置されると共にビーム２ｃの長手方向にて端部同士が対向して接続された内層部パーツ１１ａとを有している。このように、外層部パーツ境界箇所Ｋ１を跨ぐように内層部パーツ１１ａを配置することによって、外層部パーツ境界箇所Ｋ１と内層部パーツ境界箇所Ｋ２とが重なる場合と比較して、主構造体２ｇの剛性を向上させることができる。
【００２７】
カバー支持体２ｈは、主構造体２ｇの上方に配置される長尺状の部材であり、一端が第１スタンド２ａに固定され、他端が第２スタンド２ｂに固定されている。このカバー支持体２ｈは、カバー２ｉを下方から支持している。なお、カバー支持体２ｈ及びカバー２ｉは、移動機構４と直接接触等することがなく、主構造体２ｇのように高い形状精度及び剛性が求められない部材である。このため、カバー支持体２ｈは、第１スタンド２ａから第２スタンド２ｂまで連続する一体物とすることができ、主構造体２ｇのように複数の分割パーツによって形成される構成でなくても良い。
【００２８】
カバー２ｉは、カバー支持体２ｈに支持されており、断面が溝形とされた主構造体２ｇを上方から覆うように配置されている。このカバー２ｉは、例えば図３や図４に示すように、主構造体２ｇとの間に、移動機構４の後述のヘッド支持部４ｆの通過するスリットが形成されるように主構造体２ｇの上方に配置されている。このようなカバー２ｉは、移動機構４の一部が収容される主構造体２ｇの内部を上方から覆うことにより、主構造体２ｇの内部に異物が侵入することを防止する。また、カバー２ｉは、運転や保守時の安全にも寄与する。
【００２９】
図７は、図２と同一方向から見た固定機構１２を含む拡大模式図である。また、図８は、図７のＢ−Ｂ断面図である。これらの図に示すように、固定機構１２は、ナットプレート１２ａと、複数のボルト１２ｂとを備えている。ナットプレート１２ａは、内層部パーツ１１ａの側壁の内壁面に当接されており、ボルト１２ｂが螺合される複数のボルト孔を有している。このナットプレート１２ａは、図７に示すように、正面方向から見て、隣接する外層部パーツ境界箇所Ｋ１を跨ぐように配置されている。ボルト１２ｂは、外層部パーツ１０ａの側壁の外側から、外層部パーツ１０ａ及び内層部パーツ１１ａの側壁に設けられかつボルト１２ｂの径よりも僅かに大径の貫通孔に差し込まれ、先端部がナットプレート１２ａのボルト孔に螺合されている。この固定機構１２は、ナットプレート１２ａとボルト１２ｂの頭部とで、外層部パーツ１０ａ及び内層部パーツ１１ａを挟持することによって、外層部パーツ１０ａと内層部パーツ１１ａとを締結している。また、固定機構１２は、ナットプレート１２ａが外層部パーツ境界箇所Ｋ１を跨ぐように配置されているため、隣接する外層部パーツ１０ａ同士を接続している。このような固定機構１２によれば、隣接する外層部パーツ１０ａ同士が直接的に連結され、隣接する内層部パーツ１１ａ同士が外層部パーツ１０ａを介して間接的に連結される。
【００３０】
図３に戻り、センサヘッド３は、フィルムＦが通過する領域を空けて、上下方向に離間するように２つ設けられている。このセンサヘッド３は、移動機構４のヘッド支持部４ｆに固定されており、移動機構４を介してビーム２ｃに対して水平移動可能に支持されている。これらのセンサヘッド３は、移動機構４によってビーム２ｃに沿って移動される。上側に配置されたセンサヘッド３（以下、上側センサヘッド３ａと称する）は、移動機構４を介して上側ビーム２ｄに支持されており、移動機構４によって上側ビーム２ｄに沿って移動される。下側に配置されたセンサヘッド３（以下、下側センサヘッド３ｂと称する）は、移動機構４を介して下側ビーム２ｅに支持されており、移動機構４によって下側ビーム２ｅに沿って移動される。これらのセンサヘッド３は、例えばβ線、Ｘ線あるいは赤外線等を用いてフィルムＦの表面位置あるいは厚さなどを検出するセンサを備えており、センサで取得した検出値を外部に出力する。
【００３１】
移動機構４は、図２に示すように、駆動モータ４ａと、複数のプーリ４ｂと、複数のベルト４ｃとを有している。また、移動機構４は、図３〜図５に示すように、レール４ｄと、移動ブロック４ｅと、ヘッド支持部４ｆとを備えている。駆動モータ４ａは、図２に示すように、移動ブロック４ｅを移動させる動力を発生する動力源であり、第１スタンド２ａの内部に収容されている。プーリ４ｂは、無端状のベルト４ｃを回転可能に支持する部材であり、例えば第１スタンド２ａ及び第２スタンド２ｂの内部に収容されている。ベルト４ｃは、移動ブロック４ｅに固定されており、駆動モータ４ａで生成された回転動力を移動ブロック４ｅに伝達して移動ブロック４ｅを直線運動させる。レール４ｄは、ビーム２ｃの内層部１１の底部に敷設されており、ビーム２ｃの長手方向に沿って直線状に設けられている。移動ブロック４ｅは、ビーム２ｃの内部に各々設けられており、ベルト４ｃを介して動力が伝達されることによりレール４ｄに沿って移動される。ヘッド支持部４ｆは、移動ブロック４ｅに固定されており、上述のようにセンサヘッド３を支持している。
【００３２】
このような構成のオンライン厚さ計１を工場等に設置する場合には、例えば最初にＯ型フレーム２を組み立てる。このとき、例えば、図２の中央部でビーム２ｃを２分割に分解した状態で工場等に搬入する。搬入後に、機械的なゲージや光学的な計測手段を用いて、ビーム２ｃに要求される形状精度や剛性が確保されていることを確認しながら分割された部分の外層部パーツ１０ａ、内層部パーツ１１ａ、及び固定機構１２を組み合わせる。なお、組立途中や組立後の各部材の形状変化等を考慮し、最終的なビーム２ｃの形状が要求された基準を満たすように、外層部パーツ１０ａ、内層部パーツ１１ａ、及び固定機構１２を組み合わせることが望ましい。この時、例えばセンサヘッド３とフィルムＦとの間隔が長手方向で一定であること等が重要である。Ｏ型フレーム２の完成後に、移動機構４やセンサヘッド３を設置することで、オンライン厚さ計１の設置が完了する。なお、ビーム２ｃの分割は、２分割でなく、さらに多分割でも良い。
【００３３】
このようなオンライン厚さ計１では、不図示の制御装置の制御の下、移動機構４の駆動モータ４ａによって回転動力が生成されると、当該回転動力がベルト４ｃを介して各々の移動ブロック４ｅに伝達され、２つの移動ブロック４ｅがビーム２ｃに沿って移動される。これによって、ヘッド支持部４ｆを介して移動ブロック４ｅに接続されたセンサヘッド３が移動される。なお、上側センサヘッド３ａと下側センサヘッド３ｂとは同期して移動される。各々のセンサヘッド３は、移動機構４によってビーム２ｃに沿って移動されながら、フィルムＦの厚さを含む検出信号を外部に向けて連続的に出力する。
【００３４】
以上のような本実施形態のオンライン厚さ計１及びＯ型フレーム２によれば、ビーム２ｃの主構造体２ｇが、ビーム２ｃの長手方向に配列されると共に互いに連結された複数の分割パーツ（外層部パーツ１０ａ及び内層部パーツ１１ａ）によって構成されている。このため、ビーム２ｃの全長に相当する長尺の構造体を搬送する必要がなく、Ｏ型フレームや測定装置が設置される現場において、形状精度等を調整しながら分割パーツを組み立てることによりビーム２ｃの主構造体２ｇを設置することができる。したがって、本実施形態のオンライン厚さ計１及びＯ型フレーム２によれば、形状精度及び剛性を満たすビーム２ｃを安価かつ容易に得ることが可能となる。
【００３５】
また、本実施形態のオンライン厚さ計１及びＯ型フレーム２においては、主構造体２ｇが、上記分割パーツとして、ビーム２ｃの長手方向にて端部同士が対向して接続された外層部パーツ１０ａと、外層部パーツ境界箇所Ｋ１を跨いで配置されると共にビーム２ｃの長手方向にて端部同士が対向して接続された内層部パーツ１１ａとを有している。このため、外層部パーツ境界箇所Ｋ１と内層部パーツ境界箇所Ｋ２とが重ならず、外層部パーツ境界箇所Ｋ１と内層部パーツ境界箇所Ｋ２とが重なる場合と比較して、主構造体２ｇの剛性を向上させることができる。
【００３６】
また、本実施形態のオンライン厚さ計１及びＯ型フレーム２においては、主構造体２ｇ、ビーム２ｃの長手方向と直交する断面にて閉断面構造を有している。このため、主構造体２ｇの内部に例えば図３で示すような閉空間Ｓが形成され、主構造体２ｇが軽量で剛性が高いものとなる。
【００３７】
また、本実施形態のオンライン厚さ計１及びＯ型フレーム２においては、主構造体２ｇがセンサヘッド３を移動させる移動機構４の少なくとも一部（レール４ｄや移動ブロック４ｅ等）を内部に収納する溝形状とされ、主構造体２ｇの内部を覆うカバー２ｉを備えている。このため、主構造体２ｇの内部に異物が侵入することを防止し、移動機構４によってセンサヘッド３を正確に移動させることができる。したがって、本実施形態のオンライン厚さ計１及びＯ型フレーム２によれば、長期間に亘って、安全で高い計測精度を維持することが可能となる。
【００３８】
また、本実施形態のオンライン厚さ計１及びＯ型フレーム２においては、ビーム２ｃの長手方向の中央に外層部パーツ境界箇所Ｋ１が配置されている。ビーム２ｃの長手方向の中央が自重により最も撓みやすい箇所であることから、ビーム２ｃの長手方向の中央に外層部パーツ境界箇所Ｋ１が配置されることで、最も撓みやすい箇所にて組み立ての調整を図ることができる。このため、形状精度の高いビーム２ｃを容易に組み立てることが可能となる。
【００３９】
以上、添付図面を参照しながら本発明の好適な実施形態について説明したが、本発明は、上記実施形態に限定されないことは言うまでもない。上述した実施形態において示した各構成部材の諸形状や組み合わせ等は一例であって、本発明の趣旨から逸脱しない範囲において設計要求等に基づき種々変更可能である。
【００４０】
例えば、上記実施形態においては、ビーム２ｃの主構造体２ｇが、外層部１０と内層部１１との２層構造を有する構成について説明した。しかしながら、本発明はこれに限定されるものではない。長手方向に配列された複数の分割パーツを有する主構造体を備える構成であれば、例えば、単層構造の主構造体や三層以上の主構造体を採用することも可能である。
【００４１】
また、上記実施形態においては、隣接する外層部パーツ１０ａ同士が同一形状であり、隣接する内層部パーツ１１ａ同士が同一形状である構成について説明した。しかしながら、本発明はこれに限定されるものではなく、隣接する外層部パーツ１０ａ同士あるいは隣接する内層部パーツ１１ａ同士が異なる形状であっても良い。例えば、隣接する外層部パーツ１０ａ同士あるいは隣接する内層部パーツ１１ａ同士が、互いに嵌め合い構造になっていても良い。このような場合には、外層部パーツ境界箇所Ｋ１及び内層部パーツ境界箇所Ｋ２は、本実施形態のように正面側から見て直線状とならずに屈曲したものとなる場合もある。これによって、外層部パーツ１０ａと内層部パーツ１１ａとの重なり合う部位の形状が、ビーム２ｃの長手方向の位置に応じて異なることとなる場合もある。
【００４２】
また、上記実施形態においては、上側ビーム２ｄの外層部パーツ１０ａと下側ビーム２ｅの外層部パーツ１０ａとが同一形状であり、また上側ビーム２ｄの内層部パーツ１１ａと下側ビーム２ｅの内層部パーツ１１ａとが同一形状である構成を採用した。しかしながら、本発明はこれに限定されるものではなく、上側ビーム２ｄの外層部パーツ１０ａと下側ビーム２ｅの外層部パーツ１０ａとが長さ寸法や断面形状が異なり、また上側ビーム２ｄの内層部パーツ１１ａと下側ビーム２ｅの内層部パーツ１１ａとが長さ寸法や断面形状が異なっていても良い。
【００４３】
また、上記実施形態において、固定機構１２のボルト１２ｂが挿通される外層部パーツ１０ａ及び内層部パーツ１１ａの貫通孔をビーム２ｃの長手方向に長い長孔とする等により、温度によってビーム２ｃが長手方向に伸縮できるように構成しても良い。
【００４４】
また、上記実施形態においては、ビーム２ｃの厚さ寸法が長手方向において変化しない構成を採用した。しかしながら、本発明はこれに限定されるものではなく、複数の外層部パーツ１０ａの厚さ寸法や内層部パーツ１１ａの厚さ寸法を変化させるようにしても良い。例えば、長手方向における中央部において厚く同方向の端部において薄い形状のビームや、反対に長手方向における中央部において薄く同方向の端部において厚い形状のビームを用いることも可能である。
【００４５】
また、上記実施形態においては、ビーム２ｃが主構造体２ｇと別体でカバー２ｉを備える構成を採用した。しかしながら、本発明はこれに限定されるものではなく、主構造体２ｇがカバー２ｉとして機能する部位を有する構成を採用することも可能である。また、１つのカバー２ｉを支持するカバー支持体２ｈを複数設ける構成を採用することも可能である。
【００４６】
また、上記実施形態においては、外層部パーツ１０ａと内層部パーツ１１ａとを千鳥状に配置する構成について説明した。しかしながら、本発明はこれに限定されるものではなく、外層部パーツ１０ａの端部位置と内層部パーツ１１ａの端部位置とがビーム２ｃの長手方向において一致するように外層部パーツ１０ａと内層部パーツ１１ａとを配置するようにしても良い。
【００４７】
また、上記実施形態においては、ビーム２ｃが閉断面構造を有することによって強度が高められた構成について説明した。しかしながら、本発明はこれに限定されるものではなく、ビーム２ｃが閉断面構造を有していない構成を採用することも可能である。また、リブ等を設置することによってビーム２ｃの強度の向上を図ることも可能である。
【００４８】
また、上記実施形態においては、ビーム２ｃの閉断面構造はあくまでも一例である。例えば、断面形状が日の字型、目の字型あるいは田の字型の閉断面構造のビームを用いることも可能である。
【００４９】
また、上記実施形態における移動機構４の構成は一例であり、本発明はこれに限定されるものではない。例えば、ベルト駆動方式に換えて、リニアモータ方式等を採用する移動機構を用いることも可能である。また、レール４ｄを設置せずに、移動ブロック４ｅにローラを取り付けて直接的に主構造体２ｇに当接させて滑らせる構成や、移動ブロック４ｅを備えずにヘッド支持部４ｆをレール４ｄや主構造体２ｇに当てて滑らせる構成を採用することも可能である。
【００５０】
また、上記実施形態においては、ナットプレート１２ａとボルト１２ｂとを備える固定機構１２を用いて分割パーツ同士を連結する構成について説明した。しかしながら、本発明はこれに限定されるものではなく、リベット、溶接、接着等によって分割パーツ同士を連結する構成を採用することも可能である。また、継手構造を用いることによって分割パーツ同士を連結する構成を採用することも可能である。また、ナットプレート１２ａとボルト１２ｂを使用した場合でも、調整後に両者もしくは外層部パーツ１０ａあるいは内層部パーツ１１ａとの間を溶接等でさらに強固に固定することも可能である。
【００５１】
また、上記実施形態においては、本発明をオンライン厚さ計１に適用した構成について説明した。しかしながら、本発明はこれに限定されるものではなく、オンライン坪量計や、抄紙機・塗工機測定制御システム等のＯ型フレームを備える測定装置の全般に適用することが可能である。
【符号の説明】
【００５２】
１……オンライン厚さ計（測定装置）、２……Ｏ型フレーム、２ａ……第１スタンド、２ｂ……第２スタンド、２ｃ……ビーム、２ｇ……主構造体、２ｉ……カバー、３……センサヘッド、４……移動機構、１０……外層部、１０ａ……外層部パーツ（分割パーツ、第１部材）、１１……内層部、１１ａ……内層部パーツ（分割パーツ、第２部材）、１２……固定機構、Ｆ……フィルム、Ｋ１……外層部パーツ境界箇所、Ｋ２……内層部パーツ境界箇所、Ｓ……閉空間
【図１】
2018124104.tif 000003
【図２】
2018124104.tif 000004
【図３】
2018124104.tif 000005
【図４】
2018124104.tif 000006
【図５】
2018124104.tif 000007
【図６】
2018124104.tif 000008
【図７】
2018124104.tif 000009
【図８】
2018124104.tif 000010